(57)【要約】【課題】  持ち物を手に持つ不便さが解消されて行動範囲が広がる、車イスの各部に取り付け取り外しが可能な車イス用ポケット構造を提供する。【解決手段】  下地（１）に面ファスナーループ面と面ファスナーかぎ面を設置し、面ファスナーループ面テープを所定の長さにしておく。右手側のアームサポート（肘置き）下部のシート（座面）側面板に取り付ける場合、面ファスナーかぎ面（２）（５）に面ファスナーループ面テープ（３）（６）を取り付け、シート側面板の前進方向側内側に、面ファスナーループ面テープ（３）（６）がはみ出るように下地（１）を合わせ、面ファスナーループ面テープ（３）（６）でシート側面板を挟み、収納部（１４）を外側へ向けて折って面ファスナーループ面テープ（３）（６）に面ファスナーかぎ面（４）（７）を取り付け、面ファスナーループ面（８）を外側へ向けて折って面ファスナーかぎ面（９）に取り付ける車イス用ポケット構造を特徴とする。【選択図】図１
2015213728.tif 000002
【特許請求の範囲】
【請求項１】
物を収納する状態のものを、車イスの各部に取り付け取り外しができることを特徴とする車イス用ポケット構造。
【発明の詳細な説明】
【技術分野】
【０００１】  この発明は、主に面ファスナーなどの固定具を使用することによって、主にアームサポート（肘置き）下部のシート（座面）側面板などの車イス各部に取り付け取り外しが出来るようにした車イス用ポケット構造に関するものである。
【背景技術】
【０００２】  従来、車イスにはポケットが付いていなかった。
【先行技術文献】
【特許文献】
【０００３】
【特許文献１】
【発明の概要】
【発明が解決しようとする課題】
【０００４】  これは、次のような欠点があった。
（イ）持ち物を手に持って携行するのでは、不便でわずらわしい。
（ロ）手がふさがっていると、行動範囲が制限されてしまう。
（ハ）バックサポート（背シート）外側の物入れでは物の出し入れがしづらい。
本発明は、以上のような欠点をなくすためになされたものである。
【課題を解決するための手段】
【０００５】  この実施例は、主に福祉施設や病院などで使用されている標準タイプの自走式車イスの右手側のアームサポート（肘置き）下部のシート（座面）側面板に、車イス用ポケット構造を取り付けるものとする。【０００６】  下地（１）に、固定具として面ファスナーループ面（８）、面ファスナーかぎ面（２）、面ファスナーかぎ面（４）、面ファスナーかぎ面（５）、面ファスナーかぎ面（７）、面ファスナーかぎ面（９）、面ファスナーかぎ面（１０）、面ファスナーかぎ面（１１）、面ファスナーかぎ面（１２）、面ファスナーかぎ面（１３）を予め設置しておく。【０００７】  面ファスナーループ面テープ（３）と面ファスナーループ面テープ（６）を所定の長さにしておく。【０００８】  面ファスナーかぎ面（２）に面ファスナーループ面テープ（３）、面ファスナーかぎ面（５）に面ファスナーループ面テープ（６）をそれぞれ取り付ける。【０００９】  車イスの右手側のアームサポート（肘置き）下部のシート（座面）側面板の前進方向側の内側に、面ファスナーループ面テープ（３）と面ファスナーループ面テープ（６）がはみ出るように、面ファスナーかぎ面（１０）が上に、面ファスナーかぎ面（１２）が下になるようにして、下地（１）を合わせる。【００１０】  面ファスナーループ面テープ（３）と面ファスナーループ面テープ（６）で車イスのアームサポート（肘置き）下部のシート（座面）側面板を挟み、収納部（１４）が外側を向くように下地（１）を折って、面ファスナーループ面テープ（３）に面ファスナーかぎ面（４）を、面ファスナーループ面テープ（６）に面ファスナーかぎ面（７）を、それぞれ合わせてくっつける。そのあと、面ファスナーループ面（８）が外側を向くように下地（１）を折って、面ファスナーかぎ面（９）と合わせてくっつける。
【発明の効果】
【００１１】  （イ）車イス用ポケット構造に持ち物を入れておけば、手に持つ不便さやわずらわしさが解消される。
（ロ）手が空いているので、行動範囲が広がる。
（ハ）バックサポート（背シート）外側の物入れを使わなくてもすむ。
【図面の簡単な説明】
【００１２】
【図１】（ａ）は本発明の正面図、（ｂ）は本発明の背面図である。
【図２】（ａ）は本発明を取り付けた車イス上部を横から見た図、（ｂ）は本発明を取り付けた車イス上部を正面から見た図である。
【発明を実施するための形態】
【００１３】  以下、本発明を実施するための一形態について図面を参照して説明するが、本発明を実施するにあたり、素材や形状、取り付け具や取り付け方法、取り付け個所等、この説明、手順に限定されるものではない。
【００１４】  この実施例は、主に福祉施設や病院などで使用されている標準タイプの自走式車イスの右手側のアームサポート（肘置き）下部のシート（座面）側面板に、車イス用ポケット構造を取り付けるものとする。
【００１５】  図１は本発明の実施例を示すものであり、下地（１）に、固定具として面ファスナーループ面（８）、面ファスナーかぎ面（２）、面ファスナーかぎ面（４）、面ファスナーかぎ面（５）、面ファスナーかぎ面（７）、面ファスナーかぎ面（９）、面ファスナーかぎ面（１０）、面ファスナーかぎ面（１１）、面ファスナーかぎ面（１２）、面ファスナーかぎ面（１３）を予め設置しておく。
【００１６】  下地（１）と収納部（１４）の素材は、物を収納する状態（主にポケットなど）になりうるもの、その使用に耐えうるものが望ましい。また、固定具（主に面ファスナーなど）の素材は、取り付け取り外しが簡単にできるものが望ましい。
【００１７】  下地（１）の長さは、車イスの取り付け個所に適宜応じた長さのものとする。これは、取り付け対象の車イスが製造会社や車種によって各部のサイズが違うためである。また、収納部（１４）の深さは車イスのアームサポート（肘置き）下部のシート（座面）側面板の高さと同等、幅は車イスのタイヤに緩衝しない程度の長さとし、厚みは車イスの手元ブレーキに緩衝しない程度のものとする。
【００１８】  面ファスナーループ面テープ（３）と面ファスナーループ面テープ（６）を所定の長さにしておく。
【００１９】  面ファスナーかぎ面（２）に面ファスナーループ面テープ（３）、面ファスナーかぎ面（５）に面ファスナーループ面テープ（６）をそれぞれ取り付ける。
【００２０】  車イスの右手側のアームサポート（肘置き）下部のシート（座面）側面板の前進方向側の内側に、面ファスナーループ面テープ（３）と面ファスナーループ面テープ（６）がはみ出るように、面ファスナーかぎ面（１０）が上に、面ファスナーかぎ面（１２）が下になるようにして、下地（１）を合わせる。
【００２１】  面ファスナーループ面テープ（３）と面ファスナーループ面テープ（６）で車イスのアームサポート（肘置き）下部のシート（座面）側面板を挟む。収納部（１４）が外側を向くように下地（１）を折って、面ファスナーループ面テープ（３）に面ファスナーかぎ面（４）を、面ファスナーループ面テープ（６）に面ファスナーかぎ面（７）を、それぞれ合わせてくっつける。そのあと、面ファスナーループ面（８）が外側を向くように下地（１）を折って、面ファスナーかぎ面（９）と合わせてくっつける。
【００２２】  以上で車イス用ポケット構造としての使用が右手側で可能となるが、左手側での使用の場合、面ファスナーかぎ面（２）を面ファスナーかぎ面（１０）に、面ファスナーかぎ面（５）を面ファスナーかぎ面（１２）に、面ファスナーかぎ面（４）を面ファスナーかぎ面（１１）に、面ファスナーかぎ面（７）を面ファスナーかぎ面（１３）に、それぞれ手順を置き換えるものとする。
【符号の説明】
【００２３】  １    下地
２    面ファスナーかぎ面
３    面ファスナーループ面テープ
４    面ファスナーかぎ面
５    面ファスナーかぎ面
６    面ファスナーループ面テープ
７    面ファスナーかぎ面
８    面ファスナーループ面
９    面ファスナーかぎ面
１０  面ファスナーかぎ面
１１  面ファスナーかぎ面
１２  面ファスナーかぎ面
１３  面ファスナーかぎ面
１４  収納部
【図１】
2015213728.tif 000003
【図２】
2015213728.tif 000004